(57)【特許請求の範囲】
【請求項１】
ＭＤやＣＤを含む記録媒体に記録／再生する主動作部と、発振部の基準動作クロック信号を分周器で分周して基準の動作クロック信号を発生する基準発振部と、各種動作指令を入力するキー入力部と、各種表示を行う表示部と、動作状態を保持するホールドスイッチと、前記主動作部、前記基準発振部、前記キー入力部、前記表示部および前記ホールドスイッチに接続されて複合的な制御を行う制御部とを備える電子機器の前記ホールドスイッチがオン状態のとき前記制御部により前記動作クロック信号の周波数を低減して消費電力を低減する電子機器の消費電力低減装置において、
前記制御部は、前記基準発振部の動作クロック信号を制御して、前記ホールドスイッチがオン状態でないときは、前記表示部が前記記録／再生の経過時間を秒単位表示とし、前記ホールドスイッチがオン状態のときは、表示切替がなされたか否かを判断して、前記表示切替がなされたときには前記秒単位表示とし、前記表示切替がなされないときは分単位表示に制御することを特徴とする電子機器の消費電力低減装置。
【請求項２】
前記表示部は、複数の表示情報をスクロール表示するよう構成され、前記ホールドスイッチがオン状態でないときは前記スクロール表示を行い、前記ホールドスイッチがオン状態のときは前記スクロール表示が禁止されることを特徴とする請求項１に記載の電子機器の消費電力低減装置。
【発明の詳細な説明】
【０００１】
【発明の属する技術分野】
本発明は、ＭＤプレーヤ、ＭＤレコーダ、ＣＤプレーヤ、携帯電話器等々の電子機器における消費電力を低減させる機能を有する、電子機器の消費電力低減装置の改良に関する。
【０００２】
【従来の技術】
ＭＤプレーヤ、ＣＤプレーヤ等の電子機器、特に携帯型の機器においては、現在実行中の動作モードが、操作指令キーが不用意に押圧操作されることによって別のモードに変更されることを防止するために、動作ホールド機能を有していて、この具体例を図３に示す。
【０００３】
図３に示す携帯型のＭＤプレーヤは、その全体動作を複合的に制御するためのマイコン１が設けられている。このマイコン１には、所定の動作制御を実行させるための基準の動作クロック信号を供給する基準発振部の出力信号、即ち、発振部３の出力を分周器２で分周した信号が供給される。
【０００４】
分周器２は、分周器２の分周比がマイコン１から出力される分周制御信号ａによって制御されることによって変化し得るように構成される。
【０００５】
また、マイコン１には、再生開始、順方向高速再生、逆方向高速再生、一時停止、記録開始等々の動作指令を与えるための多数の操作キーで構成されるキー入力部４が接続され、また、マイコン１にはこれらの動作の状態を表示するＬＣＤ表示器５が接続され、キー入力部４によって指令された動作をマイコン１を通じてＭＤ部６に行わせることができる。
【０００６】
マイコン１に接続されたＭＤ部６は、ディスク（ＭＤ）に対して記録動作を行うと共に再生動作を行う機能を有し、また、検出されたＴＯＣ情報をマイコン１に対して出力する機能も有している。
【０００７】
現在の動作状態を保持させるためのスライドスイッチ形式のホールドスイッチ７が設けられ、その片接点端子が接地され、共通接点端子がマイコン１に接続されると共に、基準電圧+Vに片端が接続されたプルアップ抵抗８の他端が接続されている。
【０００８】
従って、所定の電源投入がなされ、初期設定処理が完了された後に動作開始されると、図４に示すフローチャートのように先ずステップＳ１にてホールドスイッチ７がオンされているか否かが判定され、具体的には、マイコン１への出力レベルがＨレベル（基準電圧+Vに略等しい電圧）の場合にはオフと判定し、Ｌレベル（接地電位）の場合にはオンと判定される。
【０００９】
ステップＳ１がＮｏの場合には、次のステップＳ２に進んで、マイコン１からの指令によってＬＣＤ表示器５の表示がオン状態にされ、これと同時的に、ステップＳ３に進んでキー入力部４からのキー操作をマイコン１で受け付けるモードにされ、ステップＳ４に進んで分周器２の分周比が分周制御信号ａによって制御され、周波数f1なる平生値にされる。
【００１０】
一方、ステップＳ１でＹｅｓの場合には、ステップＳ５に進んでＬＣＤ表示器５の表示がオフされ、これと同時的にステップＳ６に進んでキー入力部４からのキー操作をマイコン１で拒絶するモードにされ、次のステップＳ７で分周器２の分周比が分周制御信号ａによって制御され、先程の周波数より低減され周波数f2なる低減値にされる。
【００１１】
そして、ステップＳ７とステップＳ４のいずれかが完了した後には最初のステップＳ１に戻され、ホールドスイッチ７がオンされているか否かが判定されこれ以降の動作が繰り返し実行される。
【００１２】
従って、ホールドスイッチ７がオンされたときには、平生時には各種の動作状態が表わされているＬＣＤ表示器５の表示が消されると共に、マイコン１に対するクロック信号の周波数が必要最小限の値に低減されるために消費電力低減を行うことができ、特に電池駆動型の機器の場合には電池寿命を延ばすことができる。一方、特開平４−２４７７２８号公報に開示されているように、電子機器が携帯電話の場合に、受信レベルが低下すると所期の動作を満足に行えなくなるので、この場合に表示を消すことによって消費電力を低減する技術が存在する。
【００１３】
【発明が解決しようとする課題】
従来の電子機器の消費電力低減装置は、動作ホールドキーが操作されたときに消費電力低減する手段が、表示部の表示を非表示状態にするものであるので、動作ホールド中には現在動作がどのような状態であるかを知ることができず、これを知るためには、ユーザーが動作ホールドキーを解除して確認せざるを得ず、この確認動作に伴って消費電力が元の状態、即ち消費電力低減されていない平生時の状態に戻されてしまい、結果的には消費電力低減がなされないという問題がある。
【００１４】
また、電子機器が携帯電話の場合には、受信レベルの低下に伴って表示が非表示状態にされるものの、その内容確認を行うことができず使い勝手の点で問題があった。
【００１５】
そこで、本発明は、ユーザーが動作ホールドキーを操作することによって直接的に動作ホールド状態にされた場合と、受信レベル検出等の検出手段を用いて間接的に動作ホールド状態にされた場合のいずれであっても消費電力低減を行うことができ、しかもこの消費電力低減された状態における現在動作状態の概要を動作ホールド解除することなくユーザーに知らせることができる電子機器の消費電力低減装置を提供することにある。
【００１６】
【課題を解決するための手段】
前記課題を解決するために、本発明による電子機器の消費電力低減装置は、次に記載するような特徴的な構成を採用している。
【００１７】
（１）ＭＤやＣＤを含む記録媒体に記録／再生する主動作部と、発振部の基準動作クロック信号を分周器で分周して基準の動作クロック信号を発生する基準発振部と、各種動作指令を入力するキー入力部と、各種表示を行う表示部と、動作状態を保持するホールドスイッチと、前記主動作部、前記基準発振部、前記キー入力部、前記表示部および前記ホールドスイッチに接続されて複合的な制御を行う制御部とを備える電子機器の前記ホールドスイッチがオン状態のとき前記制御部により前記動作クロック信号の周波数を低減して消費電力を低減する電子機器の消費電力低減装置において、
前記制御部は、前記基準発振部の動作クロック信号を制御して、前記ホールドスイッチがオン状態でないときは、前記表示部が前記記録／再生の経過時間を秒単位表示とし、前記ホールドスイッチがオン状態のときは、表示切替がなされたか否かを判断して、前記表示切替がなされたときには前記秒単位表示とし、前記表示切替がなされないときは分単位表示に制御する電子機器の消費電力低減装置。
【００１９】
（２）前記（１）の表示部は、複数の表示情報をスクロール表示するよう構成され、前記ホールドスイッチがオン状態でないときは前記スクロール表示を行い、前記ホールドスイッチがオン状態のときは前記スクロール表示が禁止される電子機器の消費電力低減装置。
【００２４】
【発明の実施の形態】
以下、本発明の一実施の形態について図１と図２を用いて詳細に説明する。この形態は、ＭＤ記録再生機能とＣＤ再生機能とを有して構成された電子機器に本発明を適用した場合である。その構成は図１に示すように、装置全体を複合的に制御するためのマイコン９が「ＣＰＵとＲＡＭとＲＯＭ」によって構成されている。
【００２５】
マイコン９には、従来技術の項で説明したと同様の「分周器２、発振部３、キー入力部４、ＬＣＤ表示器５、ホールドスイッチ７、プルアップ抵抗８」が接続され、このＬＣＤ表示器５にはバックライト発光部が含まれて構成されている。
【００２６】
マイコン９に接続される主動作部１０は、ＭＤ部とＣＤ部と時計部を有していて、このＭＤ部は、所定の再生と記録に関連する動作が可能とされ、ＣＤ部は、再生動作が可能とされ、時計部は現在時刻を独立して、即ち発振部３と分周器２によって形成される信号には関わりなく生成するものである。
【００２７】
従って、所期の動作を行う主動作部１０を複合的に制御するための制御部がマイコン９によって構成され、このマイコン９に対して基準の動作クロック信号を供給する基準発振部が発振部３と分周器２で構成され、このマイコン９を介して、または直接的に主動作部１０の動作の制御を行わせる複数の操作キーで形成されるキー入力部４と、マイコン９で制御される主動作部１０の動作状態の全部または一部を表示する表示部がＬＣＤ表示器５で構成され、キー入力部４の有する複数の操作キーの全部または一部の操作入力を禁止する指令を与える動作ホールドスイッチ７と、このホールドスイッチ７の操作が行われていない第１状態と操作が行われている第２状態を検出する検出部がマイコン９で構成され、当該検出部で第２状態であると検出されたときに、分周器２に対する分周比をマイコン９からの分周制御信号ｂによって変化させることによって出力周波数を低下させると共に、ＬＣＤ表示器５に表示される内容の一部を非表示状態に制御する消費電力制御手段とを具備して消費電力低減装置が構成される。
【００２８】
従って、所定の電源投入がなされ、初期設定処理が完了された後に動作開始されると、図２に示すフローチャートのように先ずステップＳ８にてホールドスイッチ７がオンされているか否かが判定され、具体的には、マイコン９への出力レベルがＨレベル（基準電圧+Vに略等しい電圧）の場合にはオフと判定し、Ｌレベル（接地電位）の場合にはオンと判定される。
【００２９】
このステップＳ８がＮｏの場合には、次のステップＳ９に進んで、マイコン９からの指令によってＬＣＤ表示器５の表示がオン状態にされ、これと同時的に、ＬＣＤ表示器５によるスクロール表示が可能（オン）とされ、再生経過時間等の表示を秒単位で行われ、次のステップＳ１０に進んで分周器２の分周比が分周制御信号ｂによって制御され、周波数f1なる平生値にされる。
【００３０】
一方、ステップＳ８でＹｅｓの場合には、ステップＳ１１に進んでＬＣＤ表示器５によるスクロール表示が禁止（オフ）され、再生経過時間等の表示が分単位で行われ、次のステップＳ１２に進んで表示切替えがなされたか否かが判定され、Ｎｏの場合にはステップＳ１３に進んで分周器２の分周比が分周制御信号ｂによって制御され、周波数f2なる低減値にされる。
【００３１】
ステップＳ１２でＹｅｓの場合には、ステップＳ１４に進んで分周器２の分周比が分周制御信号ｂによって制御され、周波数f1なる平生値にされる。
【００３２】
ステップＳ１０とステップＳ１３ステップＳ１４のいずれかが完了した後には最初のステップＳ８に戻され、ホールドスイッチ７がオンされているか否かが判定されこれ以降の動作が繰り返し実行される。
【００３３】
従って、ホールドスイッチ７がオンされたときには、平生時には各種の動作状態が表わされているＬＣＤ表示器５の表示が必要最小限の表示、即ち、スクロールがなされず、経過時間等の時間表示が分単位でなされ、しかもクロック周波数が低減される。
【００３４】
このような分単位表示は、秒単位でアクセスしなければならない表示、例えば、ＣＤやＭＤの秒の時間表示、スクロール表示等を行わないことによってマイコン９のクロック周波数を低減できるので、これに伴う消費電力は、クロック周波数ｆに比例し電圧Ｖの２乗に反比例して低減されるので、特に電池駆動型の機器の場合に電池寿命を延ばすことができる。
【００３５】
なお、図１に示すＬＣＤ表示器５にはバックライト発光部を含んで構成されているので、ホールドスイッチ７のオフ時には、発光部の発光を所定量に制御し、ホールドスイッチ７のオン時には発光を停止または前記所定量に比して低減するように制御する手段を含んで構成することによってより電力低減を行うことができる。
【００３６】
また、主動作部１０のようなＭＤとＣＤの記録再生機能を有する電子機器の場合のみならず、所定の無線受信動作を行う電子機器、例えば携帯電話器においても同様に、主動作部における特定動作（例えば受信レベル）の状態を検出して能動状態と非能動状態のいずれであるかを判定し、非能動状態であると判定されたときに、基準発振部の発振周波数を低下させると共に、表示される内容の一部を非表示状態に制御する消費電力制御手段の場合であってもよい。
【００３７】
【発明の効果】
以上の説明で明らかなように、本発明による電子機器の消費電力低減装置は、ユーザーが動作ホールドスイッチを操作することによって直接的に動作ホールド状態にされた場合と、受信レベル検出等の検出手段を用いて間接的に動作ホールド状態にされた場合のいずれであっても消費電力低減を行うことができ、しかもこの消費電力低減された状態における現在動作状態の概要を動作ホールド解除することなくユーザーに知らせることができる電子機器の消費電力低減装置を提供することができる。
【図面の簡単な説明】
【図１】本発明の一実施の形態による電子機器の消費電力低減装置の概略回路構成を示すブロック回路図である。
【図２】図１に示される電子機器における消費電力低減の動作を説明するためのフローチャートである。
【図３】従来の電子機器の消費電力低減装置の概略回路構成を示すブロック回路図である。
【図４】図１に示される電子機器における消費電力低減の動作を説明するためのフローチャートである。
【符号の説明】
２  分周器
３  発振部
４  キー入力部
５  ＬＣＤ表示器
７  ホールドスイッチ
８  プルアップ抵抗
９  マイコン
１０  主動作部
【図１】
0003785611.tif 000002
【図２】
0003785611.tif 000003
【図３】
0003785611.tif 000004
【図４】
0003785611.tif 000005